(57)【要約】【課題】食物を迅速に細かく切断することができるフードカッターを提供する。【解決手段】下端部に円弧状の刃先１１ｃを有するブレード部１１と、ブレード部１１の上端部に上方に延びるように設けられた握り部１２とを備え、握り部１２はその軸線が刃先１１ｃの周方向中心Ｃを通る法線上に位置するように設けられている。【選択図】図１
0003207990.tif 000002
【実用新案登録請求の範囲】
【請求項１】
下端部に円弧状の刃先を有するブレード部と、
このブレード部の上端部に上方に延びるように設けられた握り部と
を備えてなることを特徴とするフードカッター。
【請求項２】
前記握り部はその軸線が前記刃先の周方向中心を通る法線上に位置するように設けられていることを特徴とする請求項１記載のフードカッター。
【請求項３】
前記刃先は一部が鋸歯状刃先となっていることを特徴とする請求項１又は２記載のフードカッター。
【請求項４】
前記ブレード部の少なくとも一方の面に張り出し片が設けられていることを特徴とする請求項１，２又は３記載のフードカッター。
【考案の詳細な説明】
【技術分野】
【０００１】
この考案はフードカッターに関し、より詳細には乳幼児や介護が必要な高齢者等に与える食物を食べやすいように細かく切断するためのフードカッターに関する。
【背景技術】
【０００２】
乳幼児や介護が必要な高齢者等（以下、単に高齢者等）は、食物の咀嚼を十分に行うことが困難であるため、介護者は食物を細かく切断して高齢者等に与えている。従来、食物を切断するための用具として、例えば特許文献１に記載されたようなフードカッターが知られている。
【０００３】
同文献に記載されたフードカッターは、和ばさみ（握りばさみ）に類似した全体形状を有し、刃の切れ味の向上を図ったものである。しかしながら、この従来のフードカッターは和ばさみ類似のものであることから、食物を切断するごとにばね力に抗して２枚の刃部どうしの開閉を繰り返さなければならず、器に盛られた食物全部を細かく切断するには時間がかかる。また、食物を上方から２枚の刃部間に捉えて切断することとなるが、切断操作がしにくい。このような難点は、洋ばさみに類似した形状のフードカッターも同様である。
【先行技術文献】
【特許文献】
【０００４】
【特許文献１】特開２０１６ー９６９９７３号公報
【考案の概要】
【考案が解決しようとする課題】
【０００５】
この考案は上記のような技術的背景に基づいてなされたものであって、次の目的を達成するものである。
この考案の目的は、食物を迅速に細かく切断することができるフードカッターを提供することにある。
【課題を解決するための手段】
【０００６】
この考案は上記課題を達成するために、次のような手段を採用している。
すなわち、この考案は、下端部に円弧状の刃先を有するブレード部と、
このブレード部の上端部に上方に延びるように設けられた握り部と
を備えてなることを特徴とするフードカッターにある。
【０００７】
上記フードカッターにおいて、前記握り部はその軸線が前記刃先の周方向中心を通る法線上に位置するように設けられている構成を採ることができる。また、前記刃先の一部が鋸歯状刃先となっている構成を採ることができる。さらに、前記ブレード部の少なくとも一方の面に張り出し片が設けられている構成を採ることができる。
【考案の効果】
【０００８】
この考案によれば、食物を迅速に細かく切断することができる。
【図面の簡単な説明】
【０００９】
【図１】この考案の実施形態を示す正面図である。
【図２】同実施形態の平面図である。
【図３】図１のＡ−Ａ線矢視断面図である。
【図４】同実施形態の使用態様を示す斜視図である。
【図５】別の実施形態を示す正面図である。
【図６】さらに別の実施形態を示す正面図である。
【考案を実施するための形態】
【００１０】
この考案の実施形態を図面を参照しながら以下に説明する。図１〜図３はこの考案によるフードカッターの実施形態を示し、図１は正面図、図２は平面図、図３は図１のＡ−Ａ線矢視断面図である。
【００１１】
フードカッター１０は、ブレード部１１とブレード部１１に一体に設けられた握り部１２とからなる。ブレード部１１は平坦な上端面１１ａと、上端面１１ａに対して直角をなす両側端面１１ｂ、１１ｂとを有している。ブレード部１１は上端面１１ａから下端部にかけて厚みが漸減し、下端は先鋭の刃先１１ｃを形成している。この刃先１１ｃは下方に向けて膨らむ円弧状に形成されている。
【００１２】
握り部１２はブレード部１１の上端部に上方に延びるように形成されている。より具体的には、握り部１２はその軸線が刃先１１の周方向中心Ｃを通る法線上に位置するように設けられている。握り部１２は、この実施形態では断面円形であるが断面多角形等種々の断面形状とすることができる。また握り部１２には握りやすくするための環状の凹凸部を設けてもよい。
【００１３】
ブレード部１１及び握り部１２はプラスチック材料を一体成形して同時に作られるが、木製あるいは金属製とすることもできる。例えば金属製とする場合、握り部１２及びブレード部１１を個別に成形し、握り部１２をブレード部１１に着脱自在にねじ込む構造とすることもできる。
【００１４】
ブレード部１１の上端部中央には、ブレード部１１の両面から外方に張り出す張出し片１３、１３が設けられている。フードカッター１０をテーブルに置くとき、張出し片１３、１３のいずれか一方の先端がテーブルに接するように置くことにより、ブレード部１１がテーブル面から離れるので衛生的である。このような張出し片１３はブレード部１１の両面に設けることなく、一方に設けるようにしてもよい。
【００１５】
次に上記フードカッターの使用態様について説明する。図４は器に盛られた食物を切断している状態を示す斜視図である。高齢者等を補助する介護者は、フードカッター１０の握り部１２を握り、ブレード部１１の刃先１１ｃを食物Ｆ、例えば調理した肉類、野菜等にその上方から力を作用させ食い込ませる。さらに、刃先１１ｃを食物Ｆに食い込ませたまま、握り部１２を揺動させることにより、ブレード部１１を前後（ブレード部１１の厚み方向と直交する水平方向前後）に転がすようにして食物Ｆを切断する。このような操作を繰り返すことにより、食物Ｆを短時間で細かく切断することができる。
【００１６】
この実施形態として示したフードカッター１０によれば、刃先１１ｃが円弧状となっていて、しかも握り部１２はその軸線が刃先１１ｃの周方向中心を通る法線上に位置するように設けられているので、握り部１２に加えられた力は刃先１１ｃの周方向中心に伝達される。したがって、刃先１１ｃが食物Ｆに食い込みやすく、しかも刃先１１ｃは円弧状となっているので刃先１１ｃが食物に食い込んだまま、ブレード部１１を転がすようにして食物Ｆを容易に迅速に切断することができる。
【００１７】
図５は別の実施形態を示す正面図である。この実施形態ではブレード部１１の刃先１１ｃのうち、一方の半部側の一部が鋸歯状刃先１１ｄに形成されている。この考案によるフードカッター１０は、前述のようにブレード部１１を転がすようにして食物を切断するのであるが、食物によっては刃先１１ｃとの摩擦が小さく刃先１１ｃがスリップしてしまうおそれがある。この実施形態では刃先１１ｃの一方の半部側の一部が鋸歯状刃先１１ｄとなっているので、この鋸歯状刃先１１ｄが食物を抑えつけるのでスリップが生じることがなく、確実に切断することができる。鋸歯状刃先１１ｄは刃先１１ｃの一方の半部側に設けるに限らず、刃先の中央部に設けるようにしてもよい。
【００１８】
上記実施形態は例示にすぎず、この考案は種々の態様を採ることができる。例えば、上記各実施形態では、ブレード部１１を平坦な上端面１１ａと、上端面１１ａに対して直角をなす両側端面１１ｂ、１１ｂと、円弧状の刃先１１ｃとを有するかまぼこ形のものとしたが、これに限らず、ブレード部１１は例えば図６に示すように傾斜した両側端面１１ｅ，１１ｅを有する扇形のものとしてもよい。要は、ブレード部は下端に円弧状の刃先が形成されていれば、種々の形状をとることができる。このブレード部１１を扇形とした実施形態においても、図５に示した実施形態と同様に、刃先１１ｃの一部を鋸歯状刃先としてもよいことはいうまでもない。
【符号の説明】
【００１９】
１０：フードカッター
１１：ブレード部
１１ｃ：刃先
１１ｄ：鋸歯状刃先
１２：握り部
１３：張り出し片
【図１】
0003207990.tif 000003
【図２】
0003207990.tif 000004
【図３】
0003207990.tif 000005
【図４】
0003207990.tif 000006
【図５】
0003207990.tif 000007
【図６】
0003207990.tif 000008